(57)【要約】【課題】装置の振動する方向に対応付けて装置に対する指示を識別し、同振動の最大振幅のタイミングに合わせて、現実の事物を連想させる報知パターンでもって残量を通知できる残量通知装置を提供する。【解決手段】振動パターン検出手段１０２と、第１部品１０３と、記憶手段１０４と、音声出力手段１０５と、制御部１０１を備え、操作者が筐体を振動させたとき、振動の方向に応じて装置に対する指示を識別し、第１部品１０３の状態に応じた報知パターンを記憶手段１０４から読み出し、続いて、振動の最大振幅のタイミングに合わせて放置パターンを音声出力手段１０５から出力させるように構成する。これにより、あたかも財布を振って中の硬貨の音を聞くように、残量の種類、および残量に関して操作者の了解度を向上させることができる。【選択図】図１
2010277125.tif 000002
【特許請求の範囲】
【請求項１】
少なくとも筐体の振動方向と振動の大きさを含む振動パターンを検出する振動パターン検出手段と、
筐体内部に配置される第１部品と、
前記第１部品の状態に対応する複数の報知パターンを記憶する記憶手段と、
前記報知パターンを出力する音声出力手段と、
前記振動パターン検出手段が検出した振動パターンが所定の振動パターンと合致した場合、前記第１部品の状態を読み出し、当該状態に対応する報知パターンを前記記憶手段から読み出し、前記音声出力手段から当該報知パターンを出力する制御部と、
を備えたことを特徴とする携帯電子機器。
【請求項２】
少なくとも筐体の振動方向と振動の大きさを含む振動パターンを検出する振動パターン検出手段と、
第１アプリケーションと、
第２アプリケーションと、
第１アプリケーションの状態に対応する複数の報知パターンと第２アプリケーションの状態に対応する複数の報知パターンとを記憶する記憶手段と、
前記報知パターンを出力する音声出力手段と、
前記振動パターン検出手段が検出した振動パターンが所定の第１の振動パターンと合致した場合、前記第１アプリケーションの状態を読み出し、当該状態に対応する報知パターンを前記記憶手段から読み出し、前記音声出力手段から当該報知パターンを出力し、また、当該振動パターンが所定の第２の振動パターンと合致した場合、前記第２アプリケーションの状態を読み出し、当該状態に対応する報知パターンを前記記憶手段から読み出し、前記音声出力手段から当該報知パターンを出力する制御部と、
を備えたことを特徴とする携帯電子機器。
【発明の詳細な説明】
【技術分野】
【０００１】
本発明は、バッテリー残量や電子マネー残金等の残量通知を行なう電子機器に用いる残量通知装置に関し、特に携帯電子機器に利用可能な残量通知装置に関する。
【背景技術】
【０００２】
携帯電話やＰＤＡ、電子辞書等の携帯型電子機器が広範囲に普及し、時間や場所の制限無く利用されるようになってきている。しかしながら、これら電子機器は小型であるため必然的にバッテリーも小型の小容量のものが使われており、適宜、充電あるいはバッテリー交換を行なう必要がある。そのため、一般的には画面上にバッテリー残量を表示し、操作者に対して通知している。また、電子マネーの機能を有する電子機器では、機器の盗難や紛失、故障による被害を少なくするために、同機器内に保持できる金額には限度額が設定されている場合がある。そのため、電子マネーの使用時には電子機器内に記憶されている残金が不足する場合もありうる。一般的には、支払い時に支払い装置上に電子機器内の残金を表示する、または、特定の操作により当該電子機器の画面上に残金を表示する方法により、操作者に対して通知している。これらの方法は、いずれも操作者がその表示された情報を目視にて確認する必要があり、また、操作者に対して特定の操作を行なわせるものである。
【０００３】
従来、この種の残量通知装置として、ＩＣカードリーダーに音量スイッチを有し、同スイッチを押下するとＩＣカードリーダーに挿入している電子マネーカードの残高に応じて音声合成／ブザー音（音階、回数、発生パターン）を発生させて残高を通知するように構成したものが知られている。（例えば、特許文献１参照）
これによれば、ＩＣカードリーダーの音量スイッチを操作者が押下する、あるいは折畳み型の装置では折畳み状態から開放状態にすると、あらかじめ電子マネーカードから読み込んでおいた残高の情報に応じて、出力する音量（或いは音階、音の発生回数、音の発生パターン、または、これらの組合せ）を適宜、変化させた情報を設定・保持する。その後、出力装置から前記の情報をもとにした音量等を出力することができ、操作者は出力された音量等によりＩＣカードの残高の多寡を判別することができる。
【０００４】
また、電子マネーカードリーダーに振動感知部を有し、同感知部が振動を感知すると電子マネーカードの残高情報を音声（強弱、周波数、これらの組合せ）を発生させて通知するように構成したものも知られている。（例えば、特許文献２参照）
これによれば、電子マネーカードリーダーを操作者が振ると、その振動を感知し、あらかじめ電子マネーカードから読み込んでおいた残高情報と、残高の多寡と音声パターン（音声の強弱、周波数、または、これらの組合せ）との対応付けを保持しているテーブルとを照合し、出力する音声パターンを適宜、決定する。その後、出力装置から前記の音声パターンを出力することができ、操作者は出力された音声パターンにより電子マネーカードの残高の多寡を判別することができる。
【先行技術文献】
【特許文献】
【０００５】
【特許文献１】特開平８−２６３６１２号公報（第７頁、図９）
【特許文献２】特開平１１−２５９６１１号公報（第１０頁、図９、１１、１２）
【発明の概要】
【発明が解決しようとする課題】
【０００６】
しかしながら、特許文献１に記載されたものでは、装置に設けられたスイッチを押下する操作か、あるいは折畳み型の装置において折畳み状態から開放状態への操作を契機として出力を行なうものであり、基本的に１種類の操作（装置に対する指示）のみ可能であり、多種類の操作（指示）を選択的に行なうことができないという問題があった。また、音声合成（「ｘｘｘｘ円です」など）あるいは、ブザー音の音階、発生回数、長短の差、またこれらの組合せにより出力を行なうものであり、音声による出力では操作者は出力された音声から残高値を聞き取らなければならず、単純なブザー音による出力でもその音階、発生回数、長短の差を意識して聞き分けなければならないという問題があった。また、本装置は電子マネーの残高を通知するものであり、その他の複数種類の残量（バッテリー残量、メモリ残量など）を通知することができないという問題があった。
【０００７】
また、特許文献２に記載されたものでは、装置の単純な振動を感知するものであり、特許文献１の装置と同様の問題があった。さらに、振動感知部は、一旦、振動を感知した後、ＯＦＦにすることとなっており、装置に対する継続的な振動パターン（振動方向、振動の大きさ）を感知できないという問題があった。また、単純な音声の強弱、周波数、またこれらの組合せにより出力を行なうものであり、特許文献１の装置と同様の問題点があった。また、本装置も電子マネーの残高を通知するものであり特許文献１の装置と同様の問題があった。
【０００８】
本発明は、このような従来の問題に鑑みてなされたものであり、装置（筐体）の振動する方向を検出し、振動の方向ごとに装置に対する指示を対応付けて、複数の指示を識別できる残量通知装置を提供するものである。また装置（筐体）の振動の大きさを検出し、最大振幅のタイミングに合わせて報知パターンを出力し、かつ、当該報知パターンを現実の事物を連想させるものとし、当該残量の種類および残量の多寡を識別できる残量通知装置を提供するものである。
【課題を解決するための手段】
【０００９】
前記課題を解決するために、本発明の残量通知装置は、少なくとも筐体の振動方向と振動の大きさを含む振動パターンを検出する振動パターン検出手段と、筐体内部に配置される第１部品と、前記第１部品の状態に対応する複数の報知パターンを記憶する記憶手段と、前記報知パターンを出力する音声出力手段と、前記振動パターン検出手段が検出した振動パターンが所定の振動パターンと合致した場合、前記第１部品の状態を読み出し、当該状態に対応する報知パターンを前記記憶手段から読み出し、前記音声出力手段から当該報知パターンを出力する制御部と、を備える。
【００１０】
また、本発明の残量通知装置は、少なくとも筐体の振動方向と振動の大きさを含む振動パターンを検出する振動パターン検出手段と、第１アプリケーションと、第２アプリケーションと、第１アプリケーションの状態に対応する複数の報知パターンと第２アプリケーションの状態に対応する複数の報知パターンとを記憶する記憶手段と、前記報知パターンを出力する音声出力手段と、前記振動パターン検出手段が検出した振動パターンが所定の第１の振動パターンと合致した場合、前記第１アプリケーションの状態を読み出し、当該状態に対応する報知パターンを前記記憶手段から読み出し、前記音声出力手段から当該報知パターンを出力し、また、当該振動パターンが所定の第２の振動パターンと合致した場合、前記第２アプリケーションの状態を読み出し、当該状態に対応する報知パターンを前記記憶手段から読み出し、前記音声出力手段から当該報知パターンを出力する制御部と、を備える。
【発明の効果】
【００１１】
本発明の残量通知装置によれば、操作者が筐体を所定の一方向に振ったとき、第１部品（例えば、電子マネーカード）の状態（残高）に応じて、報知パターン（例えば、硬貨の音「チャリンチャリン」）を音声出力手段から出力するので、現実の事物（硬貨）との連想により、電子マネーカードの残高に関して操作者の了解度を向上させることができる。また、筐体の最大振幅のタイミングに合わせて報知パターンを出力することにより、あたかも財布を振って中の硬貨の音を聞くように、残量の種類（電子マネーカード）、および残量（電子マネー残高）に関して操作者の了解度を向上させることができる。
【００１２】
また、本発明の残量通知装置によれば、操作者が筐体を所定の一方向に振ったとき、振動方向に応じて第１アプリケーション（例えば、電子マネーカード）、あるいは第２アプリケーション（例えば、バッテリー）の状態（残高、残量）に応じて、報知パターン（例えば、硬貨の音「チャリンチャリン」、あるいは瓶入りの液体の音「チャプチャプ」）を音声出力手段から出力するので、現実の事物（硬貨、瓶入りの液体）との連想により、電子マネーカードの残高あるいはバッテリー残量に関して操作者の了解度を向上させることができる。また、筐体の最大振幅のタイミングに合わせて報知パターンを出力することにより、あたかも財布を振って中の硬貨の音を聞く、あるいは瓶を振って中の液体の音を聞くように、残量の種類（電子マネーカード、バッテリー）および残量（電子マネー残高、バッテリー残量）に関して操作者の了解度を向上させることができる。
【図面の簡単な説明】
【００１３】
【図１】本発明の実施の形態１における残量通知装置の概略構成図
【図２】本発明の実施の形態１における残量通知装置の動作を説明するフローチャート
【図３】本発明の実施の形態１における第１部品の状態と対応する報知パターンを記憶した記憶部の内容を示す図
【図４】本発明の実施の形態２における残量通知装置の概略構成図
【図５】本発明の実施の形態２における残量通知装置の動作を説明するフローチャート
【図６】本発明の実施の形態２における第１アプリケーションの状態と対応する報知パターンを記憶した記憶部の内容を示す図
【図７】本発明の実施の形態２における第２アプリケーションの状態と対応する報知パターンを記憶した記憶部の内容を示す図
【図８】本発明の実施の形態１および２における携帯電子機器の利用状況の例を示す図
【図９】本発明の実施の形態２における携帯電子機器の利用状況の例を示す図
【図１０】本発明の実施の形態２における携帯電子機器の利用状況のその他の例を示す図
【図１１】本発明の実施の形態２における携帯電子機器の利用状況のその他の例を示す図
【発明を実施するための形態】
【００１４】
本発明の残量通知装置は、少なくとも筐体の振動方向と振動の大きさを含む振動パターンを検出する振動パターン検出手段と、筐体内部に配置される第１部品と、前記第1部品の状態に対応する複数の報知パターンを記憶する記憶手段と、前記報知パターンを出力する音声出力手段と、前記振動パターン検出手段が検出した振動パターンが所定の振動パターンと合致した場合、前記第１部品の状態を読み出し、当該状態に対応する報知パターンを前記記憶手段から読み出し、前記音声出力手段から当該報知パターンを出力する制御部とを備えた構成を有する。
【００１５】
この構成により、操作者が筐体を所定の一方向に振ったとき、振動パターン検出手段が当該振動の方向を検出するので、第１部品（例えば電子マネーカード）の状態（残高）を通知する旨の指示を受けたと判断することができる。続いて、第１部品の現在の状態を参照し、対応する報知パターン（例えば、硬貨の音「チャリンチャリン」）を記憶手段から読み出して音声出力手段から出力するので、現実の事物（硬貨）との連想により、電子マネーカードの残高に関して操作者の了解度を向上させることができる。また、筐体の振動の大きさを検出するので、筐体の最大振幅のタイミングに合わせて報知パターンを出力することにより、あたかも財布を振って中の硬貨の音を聞くように、残量の種類（電子マネーカード）および残量（電子マネー残高）に関して操作者の了解度を向上させることができる。
【００１６】
また、本発明の残量通知装置は、少なくとも筐体の振動方向と振動の大きさを含む振動パターンを検出する振動パターン検出手段と、第１アプリケーションと、第２アプリケーションと、第１アプリケーションの状態に対応する複数の報知パターンと第２アプリケーションの状態に対応する複数の報知パターンとを記憶する記憶手段と、前記報知パターンを出力する音声出力手段と、前記振動パターン検出手段が検出した振動パターンが所定の第１の振動パターンと合致した場合、前記第１アプリケーションの状態を読み出し、当該状態に対応する報知パターンを前記記憶手段から読み出し、前記音声出力手段から当該報知パターンを出力し、また、当該振動パターンが所定の第２の振動パターンと合致した場合、前記第２アプリケーションの状態を読み出し、当該状態に対応する報知パターンを前記記憶手段から読み出し、前記音声出力手段から当該報知パターンを出力する制御部とを備えた構成を有する。
【００１７】
この構成により、操作者が筐体を所定の一方向に振ったとき、振動パターン検出手段が当該振動の方向を検出するので、その方向に応じて第１アプリケーション（例えば、電子マネーカード）の状態（残高）を通知する旨の指示、あるいは第２アプリケーション（例えば、バッテリー）の状態（残量）を通知する旨の指示のいずれかを判定することができる。続いて、第１アプリケーションあるいは第２アプリケーションの現在の状態（電子マネーカードの残高、バッテリー残量）を参照し、対応する報知パターン（例えば、硬貨の音「チャリンチャリン」、あるいは瓶入りの液体の音「チャプチャプ」）を記憶手段から読み出して音声出力手段から出力するので、現実の事物（硬貨、瓶入りの液体）との連想により、電子マネーカードの残高あるいはバッテリー残量に関して操作者の了解度を向上させることができる。また、筐体の振動の大きさを検出するので、筐体の最大振幅のタイミングに合わせて報知パターンを出力することにより、あたかも財布を振って中の硬貨の音を聞く、あるいは瓶を振って中の液体の音を聞くように、残量の種類（電子マネーカード、バッテリー）および残量（電子マネー残高、バッテリー残量）に関して操作者の了解度を向上させることができる。
【００１８】
以下、本発明の実施の形態について説明する。
【００１９】
（実施の形態１）
まず、本発明の実施の形態１について説明する。図１は、本発明の実施の形態１における残量通知装置の概略構成図、図２は、同残量通知装置の動作を説明するフローチャート、図３は、図１に示す記憶手段１０４の一例を示すテーブル、図８は携帯型電子機器である携帯電話に対する操作者の操作の一例を示す模式図である。
【００２０】
本発明の実施の形態１における残量通知装置は、図１に示すように、筐体の振動パターンを検出する振動パターン検出手段１０２と、筐体内部に配置される第１部品１０３と、前記第１部品１０３の状態に対応する複数の報知パターンを記憶する記憶手段１０４と、前記報知パターンを出力する音声出力手段１０５と、前記振動パターン検出手段１０２が検出した振動パターンが所定の振動パターンと合致した場合、前記第１部品１０３の状態を読み出し、当該状態に対応する報知パターンを前記記憶手段１０４から読み出し、前記音声出力手段１０５から当該報知パターンを出力する制御部１０１を備えている。
【００２１】
次に、本実施の形態１について、その動作を図２を用いて説明する。本実施の形態１では、携帯型電子機器を図８に示す携帯電話とし、その所定の振動方向をF８−１、一方の最大振幅の位置をＦ８−２、他方の最大振幅の位置をＦ８−３とし、また第1部品１０３を携帯電話に内蔵された電子マネーカードとし、また記憶手段１０４は電子マネーカードの残高に対応した報知パターンとして、図３に示すように財布の中の硬貨の多寡に応じた現実の音声データ「ザックザック」（３０１）、「ジャラジャラ」（３０２）、「チャリンチャリン」（３０３）を記憶しているものとして説明する。
【００２２】
図８に示すように携帯電話を所定の方向（Ｆ８−１）に操作者が連続的に振ると、振動パターン検出手段１０２が振動パターンを検出し、制御部１０１に当該振動パターンを通知し、また振動パターンの検出および通知を継続する。制御部１０１は振動パターンを検出したと判定し（Ｓ２０１）、続いて振動方向が所定の方向（Ｆ８−１）と合致していると判定し（Ｓ２０２）、第１部品１０３（電子マネーカード）の状態（残高）を読み出す（Ｓ２０３）。さらに、制御部１０１は読み出した残高の値（ここでは、７，０００円とする）と、図３に示す記憶手段１０４のテーブルとを照合し、５，０００円を上回り、かつ１０，０００円を下回ることから報知パターン３０１の「ザックザック」を読み出す（Ｓ２０４）。続いて、制御部１０１は振動パターン検出手段１０２が継続的に通知する振動パターンから、最大振幅（Ｆ８−２、あるいはＦ８−３）のタイミングを検出すると（Ｓ２０５）、前記報知パターン３０１を音声出力手段１０５から出力する（Ｓ２０６）。操作者が携帯電話を振っている間、振動パターン検出手段１０２は当該振動パターンを継続的に制御部１０１へ通知するので、筐体の最大振幅のタイミングに合わせて報知パターン３０１を繰り返し出力し、操作者が携帯電話を振るのをやめると、振動パターン検出手段１０２は振動パターンの通知を停止し、制御部１０１は音声出力手段１０５からの出力を停止する（Ｓ２０７）。
【００２３】
以上説明したように、本発明の実施の形態１における携帯電話端末においては、操作者が筐体を所定の一方向に振ったとき、振動パターン検出手段１０２が振動パターン（方向、大きさ）を検出し、それに基づいて制御部１０１が第１部品１０３（電子マネーカード）の残高を読み取り、さらに残高に応じた報知パターン（財布の中の硬貨の現実の音）を記憶手段１０４から読み取り、同報知パターンを筐体の振動の最大振幅のタイミングに合わせて音声出力手段１０５から出力することにより、操作者に対して、残量の種類（電子マネーカード）および残量（残高）を高い了解度でもって通知することができる。
【００２４】
（実施の形態２）
次に、本発明の実施の形態２について説明する。図４は、本発明の実施の形態２における残量通知装置の概略構成図、図５は、同残量通知装置の動作を説明するフローチャート、図６および図７は、図４に示す記憶手段４０５の一例を示すテーブル、図８および図９は携帯型電子機器である携帯電話に対する操作者の操作の一例を示す模式図である。
【００２５】
本発明の実施の形態２における残量通知装置は、図４に示すように、筐体の振動パターンを検出する振動パターン検出手段４０２と、第１アプリケーション４０３と、第２アプリケーション４０４と、第１アプリケーションの状態に対応する複数の報知パターンと第２アプリケーションの状態に対応する複数の報知パターンとを記憶する記憶手段４０５と、前記報知パターンを出力する音声出力手段４０６と、前記振動パターン検出手段４０２が検出した振動パターンが所定の第１の振動パターンと合致した場合、前記第１アプリケーション４０３の状態を読み出し、当該状態に対応する報知パターンを前記記憶手段４０５から読み出し、前記音声出力手段４０６から当該報知パターンを出力し、また、当該振動パターンが所定の第２の振動パターンと合致した場合、前記第２アプリケーション４０４の状態を読み出し、当該状態に対応する報知パターンを前記記憶手段４０５から読み出し、前記音声出力手段４０６から当該報知パターンを出力する制御部を備えている。
【００２６】
次に、本実施の形態２について、その動作を図５を用いて説明する。本実施の形態２では、携帯型電子機器を図８および図９に示す携帯電話とし、その第１の振動方向をＦ８−１、および所定の第２の振動方向をＦ９−１とし、また各々の一方の最大振幅の位置をＦ８−２、Ｆ９−２、他方の最大振幅の位置をＦ８−３、Ｆ９−３とし、また第１アプリケーション４０３を携帯電話に内蔵された電子マネーカードとし、また第２アプリケーション４０４を携帯電話に内蔵されたバッテリーとし、また記憶手段４０５は電子マネーカードの残高に対応した報知パターンとして、図６に示すように財布の中の硬貨の多寡に応じた現実の音声データ「ザックザック」（６０１）、「ジャラジャラ」（６０２）、「チャリンチャリン」（６０３）、および図７に示すように、瓶の中の液体の多寡に応じた現実の音声データ「タプンタプン」（７０１）、「ジャブジャブ」（７０２）、「チャプンチャプン」（７０３）を記憶しているものとして説明する。
【００２７】
図８に示すように携帯電話を第１の所定の方向（Ｆ８−１）に操作者が連続的に振ると、振動パターン検出手段４０２が振動パターンを検出し、制御部４０１に当該振動パターンを通知し、また振動パターンの検出および通知を継続する。制御部４０１は振動パターンを検出したと判定し（Ｓ５０１）、続いて振動方向が第１の所定の方向（Ｆ８−１）と合致していると判定し（Ｓ５０２）、第１アプリケーション４０３（電子マネーカード）の状態（残高）を読み出す（Ｓ５０３）。さらに制御部４０１は読み出した残高の値（ここでは、３，０００円とする）と、図６に示す記憶手段４０５のテーブルとを照合し、１，０００円を上回り、かつ５，０００円を下回ることから報知パターン６０２の「ジャラジャラ」を読み出す（Ｓ５０４）。続いて、制御部４０１は振動パターン検出手段４０２が継続的に通知する振動パターンから、最大振幅のタイミングを検出すると（Ｓ５０８）、前記報知パターン６０２を音声出力手段４０６から出力する（Ｓ５０９）。操作者が携帯電話を振っている間、振動パターン検出手段４０２は当該振動パターンを継続的に制御部４０１へ通知するので、筐体の最大振幅（Ｆ８−２、あるいはＦ８−３）のタイミングに合わせて報知パターン６０２を繰り返し出力し、操作者が携帯電話を振るのをやめると、振動パターン検出手段４０２は振動パターンの通知を停止し、制御部４０１は音声出力手段４０６からの出力を停止する（Ｓ５１０）。
【００２８】
また、図９に示すように携帯電話を第２の所定の方向（Ｆ９−１）に操作者が連続的に振ると、振動パターン検出手段が振動パターンを検出し、制御部４０１に当該振動パターンを通知し、また振動パターンの検出および通知を継続する。制御部４０１は振動パターンを検出したと判定し（Ｓ５０１）、続いて振動方向が第１の所定の方向（Ｆ８−１）とは合致しないと判定し（Ｓ５０２）、第２の所定の方向（Ｆ９−１）と合致していると判定し（Ｓ５０５）、第２アプリケーション４０４（バッテリー）の状態（残量）を読み出す（Ｓ５０６）。さらに制御部４０１は読み出した残量の値（ここでは、２０％とする）と、図７に示す記憶手段４０５のテーブルとを照合し、１０％を上回り、かつ５０％を下回ることから報知パターン７０２「ジャブジャブ」を読み出す（Ｓ５０７）。以下の処理は、前述の振動方向が第１の所定の方向（Ｆ８−１）の場合と同一のため、省略する。
【００２９】
以上説明したように、本発明の実施の形態２における携帯電話端末においては、操作者が筐体を所定の一方向に振ったとき、振動パターン検出手段４０２が振動パターン（方向、大きさ）を検出し、それに基づいて制御部４０１が電子マネーカードの残高、あるいはバッテリーの残量のいずれかを、各々、第１アプリケーション４０３（電子マネーカード）あるいは第２アプリケーション４０４（バッテリー）の残高、あるいは残量を読み取り、さらに残量・残高に応じた報知パターン（財布の中の硬貨の現実の音、瓶の中の液体の現実の音）を記憶手段４０５から読み取り、同報知パターンを筐体の振動の最大振幅のタイミングに合わせて音声出力手段４０６から出力することにより、操作者に対して、残量の種類（電子マネーカード、あるいはバッテリー）および残量（残高、あるいは残量）を高い了解度でもって通知することができる。
【００３０】
なお、本発明の実施の形態では、図８、９に示すような上筐体と下筐体を有する折り畳み型の携帯電話としたが、ストレート型の携帯電話、あるいは上筐体と下筐体が回転型、あるいはスライド型の携帯電話でもよく、また、電話機能を持たないＰＤＡ、あるいは電子辞書、ノート型パソコンといった携帯型電子機器であってもよい。
【００３１】
また、本発明の実施の形態では、折畳み型の携帯電話を折り畳んだ状態にて操作するものとしたが、開いた状態にて操作することとしても良い。
【００３２】
なお、本発明の実施の形態では、携帯型電子機器を操作者が単純に振ることとしたが、操作者が意図しない場面で動作しないように、本発明の機能を有効化・無効化するためのスイッチを別途、設けて、当該スイッチと連動して本発明の機能が動作することとしてもよい。
【００３３】
また、本発明の実施の形態では、携帯型電子機器の振動を検出することとしたが、ポケット内、あるいはバッグ内などに同機器を入れた状態で振動を検出することを防ぐために、携帯型電子機器にスイッチ、あるいはセンサーなどを設けて、操作者が手で保持していること、あるいは操作者の手が接触していることを判別し、その場合にのみ振動を検出することとしてもよい。
【００３４】
なお、本発明の実施の形態では、図８のＦ８−１、および図９のＦ９−１に示すような所定の方向の振動を用いて第１アプリケーション、および第２アプリケーションに対応付けたが、図１０のＦ１０−１に示すように、振動方向検出手段の振動方向の分解能の性能に応じて、さらに所定の振動の方向を追加することとしてもよく、また、これに併せて第３アプリケーション以降を追加することも可能である。
【００３５】
なお、本発明の実施の形態では、図９のＦ９−１に示すような所定の方向の振動を用いてアプリケーションに対応付けたが、図９に示すように装置の上端を保持して装置を振った場合、装置の下端での振幅が最も大きくなることから、装置の下端に配置したアプリケーション（例えば、バッテリー）に対応づけ、図１１に示すように装置の下端を保持して装置を振った場合、装置の上端での振幅が最も大きくなることから、装置の上端に配置したアプリケーション（例えば、電子マネー装置）に対応付けるというように、装置を振動させた際の振動の支点と振幅が最も大きい位置に配置しているアプリケーションとの位置関係から、当該装置に対する指示を判別することとしてもよい。
【００３６】
なお、本発明の実施の形態では、筐体の振動の最大振幅（例えば、F８−２、Ｆ８−３など）の双方のタイミングに合わせて報知パターンを出力することとしたが、いずれか一方の最大振幅のタイミングに合わせて報知パターンを出力することとしてもよい。
【００３７】
なお、本発明の実施の形態では、図３、図６、図７に示すように、報知パターンとして財布の中の硬貨の音、および瓶の中の液体の音としたが、その他、容器入りの砂や鍵束など、現実の事物の発する音で、かつ量の多寡を示すことが可能なものを報知パターンとしてもよい。
【００３８】
また、本発明の実施の形態では、報知パターンは現実に発生させた音の録音データとしたが、その他、電子的あるいは、機械的に発生させた擬似音のデータとしてもよい。
【００３９】
また、残高、あるいは残量の値と対応する報知パターンをテーブルとして保持することとしたが、他のデータ型式で保持してもよい。
【００４０】
また、残高、あるいは残量の区分を３段階としたが、残量の区分は２段階以上の任意の段階としてもよい。
【００４１】
また、電子マネーカードの残高の単位を円としたが、その他、保持可能な最大金額に対する割合（％）、あるいは別途定義されたポイントなどとしてもよい。同様に、バッテリー残量の単位を％としたが、その他、バッテリーの電圧、あるいは電圧低下の度合、電流量、あるいは電力量、バッテリーの放電時間などとしてもよい。
【００４２】
また、残高、あるいは残量の値を段階的にあらかじめ設定してあるものとしたが、これらの値について、編集手段を別途設けることにより操作者が編集可能なものとしてもよい。
【００４３】
なお、本発明の実施の形態では、携帯型電子機器に内蔵された電子マネーカードおよび、バッテリーの残高、残量を通知することとしたが、その他、携帯電子機器の記憶装置（メモリ）の残量、外部記憶装置（着脱型メモリー装置）の残量、記憶可能な静止画の残り枚数、記憶可能な動画、あるいは音声データの残り時間、あらかじめ設定されたクレジットカード等の上限額までの残高、あらかじめ設定された通話料金、あるいは通話時間の上限までの残金、あるいは残時間、未読メールの件数、無料通話の通話料金、あるいは通話時間の上限までの残金、あるいは残時間などとしてもよい。
【産業上の利用可能性】
【００４４】
本発明は、筐体の振動方向と振動の大きさを含む振動パターンを検出する振動パターン検出手段と、筐体内部に配置される第１部品と、前記第１部品の状態に対応する複数の報知パターンを記憶する記憶手段と、前記報知パターンを出力する音声出力手段と、前記振動パターン検出手段が検出した振動パターンが所定の振動パターンと合致した場合、前記第１部品の状態を読み出し、当該状態に対応する報知パターンを前記記憶手段から読み出し、前記音声出力手段から当該報知パターンを出力する制御部とを備え、操作者が筐体を所定の一方向に振ったとき、第１部品（例えば、電子マネーカード）の状態（残高）に応じて、報知パターン（例えば、硬貨の音「チャリンチャリン」）を筐体の最大振幅のタイミングに合わせて音声出力手段から出力する構成を有し、したがって、操作者が筐体を振動させる方向に応じて、装置に対する複数種類の指示を判別し、また、現実の事物の発する音声（例えば、財布の中の硬貨の音）を模擬的に発生させ、操作者の了解度を向上させることができ、携帯型電子機器に内蔵している各種の部品あるいはアプリケーションの残量を通知させたいときに有用である。
【符号の説明】
【００４５】
１０１    制御部
１０２    振動パターン検出手段
１０３    第１部品
１０４    記憶手段
１０５    音声出力手段
３０１、３０２、３０３    記憶手段１０４に記憶する第１部品の状態（残高）と、残高に対応する報知パターン
４０１    制御部
４０２    振動パターン検出手段
４０３    第１アプリケーション
４０４    第２アプリケーション
４０５    記憶手段
４０６    音声出力手段
６０１、６０２、６０３    記憶手段４０５に記憶する第１アプリケーションの状態（残高）と、残高に対応する報知パターン
７０１、７０２、７０３    記憶手段４０５に記憶する第２アプリケーションの状態（残量）と、残量に対応する報知パターン
Ｆ８−１、Ｆ９−１、Ｆ１０−１、Ｆ１１−１    操作者が筐体を振動させる所定の方向
Ｆ８−２、Ｆ８−３、Ｆ９−２、Ｆ９−３、Ｆ１０−２，Ｆ１０−３、Ｆ１１−２、Ｆ１１−３    操作者が筐体を振動させた際の最大振幅の位置の例
【図１】
2010277125.tif 000003
【図２】
2010277125.tif 000004
【図３】
2010277125.tif 000005
【図４】
2010277125.tif 000006
【図５】
2010277125.tif 000007
【図６】
2010277125.tif 000008
【図７】
2010277125.tif 000009
【図８】
2010277125.tif 000010
【図９】
2010277125.tif 000011
【図１０】
2010277125.tif 000012
【図１１】
2010277125.tif 000013